(57)【要約】【課題】テレビ等から出力される映像や音声等を、複数のユーザが異なるタイミングにて簡単に記録することができるシステムを提供する。【解決手段】コンテンツ情報を取得し、取得したコンテンツ情報に基づいてコンテンツを再生する一方、取得中のコンテンツ情報の全部又は一部を含む伝送情報を近距離無線方式にてブロードキャストするコンテンツ出力装置０１０１と、コンテンツ出力装置０１０１からブロードキャストされる伝送情報を受信する受信用電子機器０１０２とから構成される情報記録システムを提案する。ブロードキャストは不特定の受信用電子機器０１０２を対象として実行されるので、受信用電子機器０１０２としては複数の不特定の電子機器を利用することができる。【選択図】図１
2007174408.tif 000002
【特許請求の範囲】
【請求項１】
コンテンツ出力装置と、受信用電子機器とからなる情報記録システムであって、
コンテンツ出力装置は、
コンテンツ情報を取得するコンテンツ情報取得部と、
取得したコンテンツ情報に基づいてコンテンツを再生可能な再生部と、
コンテンツ情報取得部にて取得中のコンテンツ情報の全部又は一部を含む伝送情報を近距離無線方式でブロードキャストするブロードキャスト部と、
を有し、
受信用電子機器は、
コンテンツ出力装置のブロードキャスト部からブロードキャストされる伝送情報を受信可能な伝送情報受信部
を有する情報記録システム。
【請求項２】
コンテンツ出力装置は、
信号を受信する信号受信部と、
信号受信部での所定の信号の受信に応じて前記ブロードキャストを停止させるための命令である停止命令を出力する停止命令出力部を有し、
受信用電子機器は、
コンテンツ出力装置に対して信号を出力するための信号出力部
を有する請求項１に記載の情報記録システム。
【請求項３】
受信用電子機器は、受信した伝送情報を外部にて再生するために出力するための受信伝送情報出力部を有する請求項１又は２に記載の情報記録システム。
【請求項４】
受信用電子機器は、受信した伝送情報を再生するための再生出力部を有する請求項１から３のいずれか一に記載の情報記録システム。
【請求項５】
コンテンツ出力装置は、
信号受信部が、
受信用電子機器の受信伝送情報出力部から出力される伝送情報を受信する伝送情報受信手段を有し、
受信した伝送情報である再帰伝送情報を再生出力するための再帰伝送情報再生出力部
を有する請求項３のうち請求項２に従属する部分に記載の情報記録システム。
【請求項６】
コンテンツ出力装置のブロードキャスト部は、
コンテンツ情報取得部でのコンテンツ情報の取得タイミングよりも伝送情報のブロードキャストタイミングを所定時間遅延させるための遅延手段
を有する請求項１から５のいずれか一に記載の情報記録システム。
【請求項７】
受信用電子機器は、
記録命令の入力を受け付けるための記録命令入力部と、
伝送情報受信部にて受信する伝送情報を所定時間バッファするバッファ部と、
記録命令に基づいてバッファ部にバッファされた伝送情報又は、伝送情報及び記録命令入力後に受信した伝送情報を記録する記録部と、
を有する請求項１から６のいずれか一に記載の情報記録システム。
【請求項８】
受信用電子機器の記録命令入力部は、
記録命令を入力するためのボタン操作を検知するためのボタン操作検知手段と、
ボタン操作検知手段によるボタン操作の検知に応じて記録部に伝達すべき命令を複数保持する命令保持手段と、
を有する請求項７に記載の情報記録システム。
【請求項９】
コンテンツ出力装置のブロードキャスト部は、近距離無線手段として赤外線送信手段を有し、
受信用電子機器の伝送情報受信部は、受信手段として赤外線受信手段
を有する請求項１から８のいずれか一に記載の情報記録システム。
【請求項１０】
コンテンツ出力装置のブロードキャスト部は、
コンテンツ情報取得部にて取得中のコンテンツ情報の全部又は一部に基づいて生成される伝送情報を、信号処理単位である伝送情報単位であって、記録開始点として受信用電子機器に認識させるべき記録開始マークを有する情報単位であるマーク付伝送情報単位の連続として生成するマーク付伝送情報生成手段を有し、
受信用電子機器の記録部は、伝送情報の記録を、前記マーク付伝送情報単位を最小単位として行なうマーク付伝送情報単位記録手段
を有する請求項７から９のいずれか一に記載の情報記録システム。
【請求項１１】
コンテンツ出力装置と、受信用電子機器とからなる情報記録システムの動作方法であって、
コンテンツ出力装置においては、
コンテンツ情報を取得するコンテンツ情報取得ステップと、
取得したコンテンツ情報に基づいてコンテンツを再生可能な再生ステップと、
コンテンツ情報取得ステップにて取得中のコンテンツ情報の全部又は一部を含む伝送情報を近距離無線方式でブロードキャストするブロードキャストステップと、
を有し、
受信用電子機器においては、
コンテンツ出力装置のブロードキャストステップにてブロードキャストされる伝送情報を受信可能な伝送情報受信ステップ
を有する情報記録システムの動作方法。
【請求項１２】
コンテンツ出力装置においては、
受信用電子機器から出力される信号を受信する信号受信ステップと、
信号受信ステップでの所定の信号の受信に応じて前記ブロードキャストを停止させるための命令である停止命令を出力する停止命令出力ステップを有し、
受信用電子機器においては、
コンテンツ出力装置に対して信号を出力するための信号出力ステップ
を有する請求項１１に記載の情報記録システムの動作方法。
【請求項１３】
受信用電子機器においては、受信した伝送情報を外部にて再生するために出力するための受信伝送情報出力ステップを有する請求項１１又は１２に記載の情報記録システムの動作方法。
【請求項１４】
受信用電子機器においては、受信した伝送情報を再生するための再生出力ステップを有する請求項１１から１３のいずれか一に記載の情報記録システムの動作方法。
【請求項１５】
コンテンツ出力装置においては、
信号受信ステップが、
受信用電子機器における受信伝送情報出力ステップから出力される伝送情報を受信する伝送情報受信サブステップを有し、
受信した伝送情報である再帰伝送情報を再生出力するための再帰伝送情報再生出力ステップ
を有する請求項１３のうち請求項１２に従属する部分に記載の情報記録システムの動作方法。
【請求項１６】
コンテンツ出力装置のおけるブロードキャストステップは、
コンテンツ情報取得ステップでのコンテンツ情報の取得タイミングよりも伝送情報のブロードキャストタイミングを所定時間遅延させるための遅延サブステップ
を有する請求項１１から１５のいずれか一に記載の情報記録システムの動作方法。
【請求項１７】
受信用電子機器においては、
記録命令の入力を受け付けるための記録命令入力ステップと、
伝送情報受信ステップにて受信する伝送情報を所定時間バッファするバッファステップと、
記録命令に基づいてバッファステップにてバッファされた伝送情報又は、伝送情報及び記録命令入力後に受信した伝送情報を記録する記録ステップと、
を有する請求項１１から１６のいずれか一に記載の情報記録システムの動作方法。
【請求項１８】
受信用電子機器における記録命令入力ステップは、
記録命令を入力するためのボタン操作を検知するためのボタン操作検知サブステップと、
ボタン操作検知サブステップによるボタン操作の検知に応じて記録ステップにて利用すべき命令を出力する命令出力サブステップと、
を有する請求項１７に記載の情報記録システムの動作方法。
【請求項１９】
コンテンツ出力装置におけるブロードキャストステップは、
コンテンツ情報取得ステップにて取得中のコンテンツ情報の全部又は一部に基づいて生成される伝送情報を、信号処理単位である伝送情報単位であって、記録開始点として受信用電子機器に認識させるべき記録開始マークを有する情報単位であるマーク付伝送情報単位の連続として生成するマーク付伝送情報生成サブステップを有し、
受信用電子機器における記録ステップは、伝送情報の記録を、前記マーク付伝送情報単位を最小単位として行なうマーク付伝送情報単位記録サブステップ
を有する請求項１７又は１８に記載の情報記録システムの動作方法。
【請求項２０】
請求項１に記載のコンテンツ出力装置。
【請求項２１】
請求項２に記載のコンテンツ出力装置。
【請求項２２】
請求項５に記載のコンテンツ出力装置。
【請求項２３】
請求項６に記載のコンテンツ出力装置。
【請求項２４】
請求項９に記載のコンテンツ出力装置。
【請求項２５】
請求項１０に記載のコンテンツ出力装置。
【請求項２６】
請求項１に記載の受信用電子機器。
【請求項２７】
請求項２に記載の受信用電子機器。
【請求項２８】
請求項３に記載の受信用電子機器。
【請求項２９】
請求項４に記載の受信用電子機器。
【請求項３０】
請求項７に記載の受信用電子機器。
【請求項３１】
請求項８に記載の受信用電子機器。
【請求項３２】
請求項９に記載の受信用電子機器。
【請求項３３】
請求項１０のいずれか一に記載の受信用電子機器。
【発明の詳細な説明】
【技術分野】
【０００１】
本発明は、コンテンツ出力装置と受信用電子機器から構成される情報記録システムであって、コンテンツ出力装置からブロードキャストされるコンテンツを随時、受信用電子機器にて受信して利用することが可能な情報記録システムに関する。
【背景技術】
【０００２】
従来、テレビ番組をビデオレコーダ、ＤＶＤレコーダ、ハードディスク内蔵レコーダ等により録画することによって番組内容を保存しておき、放送終了後に再び番組内容を視聴することが行なわれてきた。しかし、視聴している番組の全ては必要無く、短時間の一部のみを記録しておきたい場合がある。例えば、懸賞等の応募方法や、料理番組のレシピ等を記録しておきたい場合である。このような場合にレコーダ等により記録しようとすると、レコーダの電源を入れたり、ビデオテープやＤＶＤなどの記録媒体をレコーダに挿入したりするための時間を要し、また、すぐに記録開始できる状態であっても記録ボタンを押下してから記録が開始されるまでにある程度の時間を要するため、目的の映像を記録し損なう可能性が高い。このような場合に、テレビ映像を簡単に記録することが可能な記録装置が特許文献１において開示されている。特許文献１に開示されている記録装置においては、アナログのインターレース方式の映像信号をデジタル信号に変換し、変換したデジタル信号の１フレーム分を記録するフレームメモリを複数有することにより、常時、所定時間分の複数の最新フレームを記録しておく。リモコンユニットの記録ボタンから記録指示があるとフレームメモリの記録内容を確定し、再生ボタンから再生指示があるとフレームメモリから映像信号を時系列的に読出しアナログ変換してディスプレイに表示する。
【特許文献１】特許第３５２２５８７号公報
【発明の開示】
【発明が解決しようとする課題】
【０００３】
しかしながら、特許文献１の記録装置においては映像信号をフレームメモリに直接記録するようになっているため、複数のユーザが異なるタイミングにて映像を記録することはできない。また、複数のユーザ人数分のフレームメモリ等を備えたとしても、同時に利用できるユーザ数は限定される。
【課題を解決するための手段】
【０００４】
そこで、本発明においては、コンテンツ情報を取得し、取得したコンテンツ情報に基づいてコンテンツを再生する一方、取得中のコンテンツ情報の全部又は一部を含む伝送情報を近距離無線方式にてブロードキャストするコンテンツ出力装置と、コンテンツ出力装置からブロードキャストされる伝送情報を受信する受信用電子機器とから構成される情報記録システムを提供する。図１は、本発明の情報記録システムの構成を例示する。情報記録システムは、コンテンツ出力装置（０１０１）と一以上の受信用電子機器（０１０２ａ、０１０２ｂ、０１０２ｃ）とから構成される。コンテンツ出力装置（０１０１）と受信用電子機器（０１０２ａ等）は、近距離無線方式で通信可能な電子機器全般が該当する。コンテンツ出力装置（０１０１）は、コンテンツの映像表示や音声出力が可能な電子機器であればよく、主にはテレビ、パーソナルコンピュータ等が該当する。コンテンツ出力装置（０１０１）では、ディスプレイ等にてコンテンツ情報に基づいてコンテンツの出力が行なわれる一方、常時、不特定多数の電子機器に対してコンテンツ情報の全部又は一部を含む伝送情報がブロードキャストされる。例えば、ユーザがコンテンツ出力装置（０１０１）のディスプレイ等に出力されるコンテンツを視聴しながら、記録しておきたいと思った瞬間に受信用電子機器（０１０２ａ等）の記録ボタン等を押下すると、常時ブロードキャストされている伝送情報を受信して記録することができる、という具合である。よって、受信用電子機器としては不特定の電子機器を利用することができる。
【０００５】
また、受信用電子機器から出力される信号に応じて、コンテンツ出力装置にて行なうブロードキャストが停止されるようになっていてもよい。また、受信用電子機器は、受信した伝送情報を自身にて再生出力してもよいし、外部の装置等にて再生するために出力できるようになっていてもよい。さらに、受信用電子機器から外部に出力された伝送情報をコンテンツ出力装置にて受信し再生出力するようになっていてもよい。また、コンテンツ出力装置からブロードキャストにて伝送情報を出力する際に、コンテンツ情報を取得するタイミングよりも所定時間遅延させてブロードキャストするようになっていてもよい。また、受信用電子機器は、受信した伝送情報を所定時間バッファし、記録命令が入力された場合には、バッファされた伝送情報を記録することが可能となっていてもよい。また、受信用電子機器は、ボタンの操作方法が異なる（押下時間が異なる等）ことにより、静止画の記録であるか動画の記録であるか等を使い分けられるようになっていてもよい。また、コンテンツ出力装置からの伝送情報のブロードキャストと、受信用電子機器での伝送情報の受信は、赤外線通信によって行なわれてもよい。また、コンテンツ出力装置から伝送情報がブロードキャストされる際に、伝送情報を、信号処理単位である伝送情報単位であって、記録開始点として受信用電子機器に認識させるべき記録開始マークを有する情報単位であるマーク付伝送情報単位の連続として生成するようになっていてもよい。
【発明の効果】
【０００６】
本発明の情報記録システムによれば、コンテンツ出力装置にてコンテンツ情報の全部又は一部を含む伝送情報が外部の不特定の電子機器に対してブロードキャストされるので、同時に複数のユーザが異なるタイミングにて映像や音声を受信用電子機器にて受信し記録することが可能である。また、コンテンツ出力装置から伝送情報をブロードキャストにて出力することにより、コンテンツ出力装置と受信用電子機器との間にて簡単な通信手順で受信用電子機器が記録・再生可能な最小単位にて伝送情報を受信するため、ユーザが記録したいと思った伝送情報をすぐに記録することが可能であり、記録し損なう可能性が低くなるという効果も期待できる。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、１１、２０、２６などについて説明する。実施形態２は、主に請求項２、１２、２１、２７などについて説明する。実施形態３は、主に請求項３、１３、２８などについて説明する。実施形態４は、主に請求項４、１４、２９などについて説明する。実施形態５は、主に請求項５、１５、２２などについて説明する。実施形態６は、主に請求項６、１６、２３などについて説明する。実施形態７は、主に請求項７、１７、３０などについて説明する。実施形態８は、主に請求項８、１８、３１などについて説明する。実施形態９は、主に請求項９、２４、３２などについて説明する。実施形態１０は、主に請求項１０、１９、２５、３３などについて説明する。
（実施形態１）
【０００８】
（実施形態１：概要）実施形態１は、コンテンツ出力装置と受信用電子機器とからなる情報記録システムについて説明する。コンテンツ出力装置は、コンテンツ情報を取得し、取得したコンテンツ情報に基づいてコンテンツを再生する一方、取得中のコンテンツ情報の全部又は一部を含む伝送情報を近距離無線方式にてブロードキャストする。受信用電子機器は、コンテンツ出力装置からブロードキャストされる伝送情報を受信することができる。
【０００９】
（実施形態１：構成）本実施形態に係る情報記録システムの機能ブロック図を図３に例示する。情報記録システムは、コンテンツ出力装置（０３００）と、受信用電子機器（０３２０）とから構成される。コンテンツ出力装置（０３００）は、放送や通信、又は／及び媒体等の読み取りによってコンテンツを取得し、取得したコンテンツを映像表示や音声出力等することが可能な電子機器全般が該当する。例えば、テレビ、パーソナルコンピュータ、携帯電話、ＰＤＡ、等が該当する。また、コンテンツ出力装置（０３００）と受信用電子機器（０３２０）は、互いに近距離無線方式にて通信可能な電子機器である。近距離無線方式の通信とは、例えば、Ｂｌｕｅｔｏｏｔｈ（登録商標）や赤外線通信やＲＦＩＤ方式等が該当する。また、受信用電子機器（０３２０）は、コンテンツ出力装置（０３００）から出力される伝送情報（コンテンツ情報の全部又は一部を含む）を近距離無線方式にて受信可能な電子機器全般が該当する。例えば、携帯電話、パーソナルコンピュータ、ＰＤＡ、プリンター等の様々な電子機器が該当しうる。また、受信用電子機器（０３２０）は可搬型の電子機器であってもよいし据え置き型の電子機器であってもよい。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図２は一般的なコンピュータの構成を例示する図でありコンピュータが主にＣＰＵ（０２１０）、入出力インタフェース（Ｉ／Ｏ）（０２２０）、ＨＤＤ（０２３０）、ＲＡＭ（０２４０）、ＲＯＭ（０２５０）等から構成されることを示しているが、本件発明に係るコンテンツ出力装置と受信用電子機器は図２と同様の構成により実現可能である。ただし、図２のような構成に限定されるものではない。（明細書の全体を通じて同様である。）
【００１１】
（実施形態１：コンテンツ出力装置の構成）コンテンツ出力装置（０３００）は、「コンテンツ情報取得部」（０３０１）と、「再生部」（０３０２）と、「ブロードキャスト部」（０３０３）と、を有する。
【００１２】
「コンテンツ情報取得部」（０３０１）は、コンテンツ情報を取得する機能を有する。「コンテンツ情報」とは、コンテンツを実現するための情報であり、具体的には画像データや音声データ等が該当する。また、例えばデジタル放送におけるデータ放送用データ等であってもよい。また、コンテンツ情報は、インターネット、放送局やコンテンツプロバイダ等の外部から提供されるものであってもよいし、コンテンツ出力装置内部の記憶媒体等から提供されるものであってもよい。また、コンテンツ情報が外部から提供される場合には、放送チューナやネットワーク回路等の入力インタフェースからコンテンツ情報が受信されてＲＡＭやＨＤＤ等の所定の記憶領域に格納され、コンテンツ情報が内部の記憶媒体等から提供される場合には、ＤＶＤ等の記録媒体等から読み取られたコンテンツ情報がＲＡＭやＨＤＤ等の所定の記憶領域に格納されることが想定される。コンテンツ情報取得部は、具体的にはこれらの所定の記憶領域からコンテンツ情報を読出し、映像出力するために画像処理部にコンテンツ情報に含まれる画像データを送ったり、音声処理部にコンテンツ情報に含まれる音声データを送ったりする処理を行なう。また、所定の記憶領域から読出したコンテンツ情報に基づいてブロードキャスト部（０３０３）にて伝送情報を生成するためのメモリに格納する等の処理も行なう。また、コンテンツ情報取得部はこのような処理をＣＰＵに実行させるためのプログラムを含んでいてもよい。また、「コンテンツ」とは、映像、音声、文字情報、アプリケーションプログラム等を含むものを意味する。具体的には、例えば、テレビ番組、宣伝広告（コマーシャル）、ＥＰＧ等のテレビ番組情報、デジタル放送におけるデータ放送、ネットワーク上にて配信される動画コンテンツや静止画コンテンツ等が該当する。また、コンテンツ出力装置にてカメラ撮影した静止画や動画、マイクから入力された音声等であってもよい。なお、図４にコンテンツがＸＭＬ（ｅＸｔｅｎｓｉｂｌｅ  Ｍａｒｋｕｐ  Ｌａｎｇｕａｇｅ）にて実現される場合の一例を示す。「<コンテンツ>」と「<／コンテンツ>」との間に記述されているのが実際のコンテンツの内容であり、図４はコンテンツが料理番組である場合の一例である。また、コンテンツの情報へのポインター（ＵＲＬ等）が配置されていてもよい。
【００１３】
「再生部」（０３０２）は、取得したコンテンツ情報に基づいてコンテンツを再生する機能を有する。「再生」とは、主に、ディスプレイ等の表示装置に映像を出力することや、スピーカー等に音声を出力することを意味する。「コンテンツ情報に基づいて」とは、取得したコンテンツ情報のすべてにより実現されるコンテンツを再生することが前提であるが、コンテンツ情報の一部のみを再生する場合や、コンテンツ情報を編集して再生する場合等も含むことを意味している。例えば、コンテンツ情報が映像データと音声データを含む場合であって、映像データのみ又は音声データのみを出力するような場合が該当する。再生部の具体的な処理としては、例えば、コンテンツ情報取得部（０３０１）にて画像処理部に送られた画像データをメモリに展開し、必要に応じてアナログ変換する等して表示出力信号に変換して表示または出力する。また、再生部はこのような処理をＣＰＵに実行させるためのプログラムを含んでいてもよい。
【００１４】
「ブロードキャスト部」（０３０３）は、コンテンツ情報取得部（０３０１）にて取得中のコンテンツ情報の全部又は一部を含む伝送情報を近距離無線方式でブロードキャストする機能を有する。「コンテンツ情報取得部にて取得中」とは、例えば放送チューナやネットワーク処理部等の入力インタフェースから受信されてＲＡＭやＨＤＤ等の所定の記憶領域に格納されているコンテンツ情報や、ＤＶＤ等の記録媒体等から読み取られてＲＡＭ等の所定の記憶領域に格納されているコンテンツ情報が、コンテンツ情報取得部（０３０１）により読み出されて、画像処理部等に送られつつ、ブロードキャスト部にても処理が行なわれることを意味している。すなわち、コンテンツ情報取得部（０３０１）での処理とブロードキャスト部での処理が平行して行なわれるということである。また、コンテンツ情報取得部（０３０１）においてコンテンツ情報が取得された後、所定時間遅延してからコンテンツ情報の全部又は一部を含む伝送情報がブロードキャストされるようになっていてもよい。例えば、コンテンツ情報取得部（０３０１）にて画像処理部等に送られたコンテンツ情報が、一旦バッファに所定の時間、蓄積されてからブロードキャストされるような場合が該当する。「伝送情報」は、「コンテンツ情報の全部又は一部」であるので、例えば、コンテンツが料理番組であって料理の画像とレシピ等の文字情報がコンテンツ情報に含まれているような場合に、レシピ等の文字情報のみを伝送情報とする等となっていてもよい。よって、再生部（０３０２）にて再生されるコンテンツと、ブロードキャスト部にてブロードキャストされる伝送情報により実現される映像や音声は、異なるものとなる場合もあり得る。また、「伝送情報」はコンテンツ情報の全部又は一部を「含む」ので、コンテンツ情報の全部又は一部以外の情報も含まれていてもよい。例えば、料理番組のレシピ等の文字情報に加えて日付や時間の情報等を加える等してもよい。「ブロードキャスト」とは、外部の不特定の送信先に対して伝送情報を連続的に出力することを意味する。連続的とは、一定時間連続していることを意味しており、常時出力されているかどうかは問わないが、不特定多数の受信用電子機器を対象としてブロードキャストするため、常時出力されている方が好ましい。例えば、適宜出力が停止されるようになっていても構わない。ブロードキャスト部の具体的な処理としては、例えば、コンテンツ情報取得部（０３０１）にてＲＡＭ等に格納されたコンテンツ情報の全部又は一部により伝送情報を生成し、通信インタフェースを介して外部に出力する。また、ブロードキャスト部はこのような処理をＣＰＵに実行させるためのプログラムを含んでいてもよい。
【００１５】
（実施形態１：受信用電子機器の構成）受信用電子機器（０３２０）は、「伝送情報受信部」（０３２１）を有する。
【００１６】
「伝送情報受信部」（０３２１）は、コンテンツ出力装置（０３００）のブロードキャスト部（０３０３）からブロードキャストされる伝送情報を受信する機能を有する。受信の開始は、ユーザ等によって受信ボタン等が押下されたことをトリガーとしてもよいし、常時受信を行なう、一定時間ごとに自動的に受信を行なう、等となっていてもよい。伝送情報受信部の具体的な処理としては、例えば、前記ブロードキャスト部（０３０３）にてブロードキャストされた伝送情報を通信インタフェースを介して受信し、ＲＡＭやＨＤＤ等の所定の記憶領域に格納する。また、伝送情報受信部はこのような処理をＣＰＵに実行させるためのプログラムを含んでいてもよい。
【００１７】
（実施形態１：処理の流れ）図５は、本実施形態に係る情報記録システムにおける処理の流れを示すシーケンス図を例示する。
【００１８】
最初に、コンテンツ出力装置にて、コンテンツ情報を取得する。この処理は、主にコンテンツ情報取得部によって実行される（ステップＳ０５０１）。次に、ステップＳ０５０１にて取得したコンテンツ情報に基づいてコンテンツを再生する。この処理は、主に再生部によって実行される（ステップＳ０５０２）。次に、ステップＳ０５０１にて取得中のコンテンツ情報の全部又は一部を含む伝送情報を近距離無線方式でブロードキャストする。この処理は、主にブロードキャスト部によって実行される（ステップＳ０５０３）。最後に、受信用電子機器にて、ステップＳ０５０３にてブロードキャストされる伝送情報を受信する。この処理は、主に伝送情報受信部によって実行される（ステップＳ０５０４）。
【００１９】
（実施形態１：効果）本実施形態に係る情報記録システムは、コンテンツ出力装置にてコンテンツ情報の全部又は一部を含む伝送情報が外部の不特定の電子機器に対してブロードキャストされるので、同時に複数のユーザが異なるタイミングにて映像や音声を受信用電子機器にて受信し記録することが可能である。
（実施形態２）
【００２０】
（実施形態２：概要）実施形態２は、コンテンツ出力装置にて行なわれる伝送情報のブロードキャストを受信用電子機器から信号を出力することにより停止することが可能な情報記録システムについて説明する。
【００２１】
（実施形態２：構成）本実施形態に係る情報記録システムの機能ブロック図を図６に例示する。情報記録システムは、コンテンツ出力装置（０６００）と、受信用電子機器（０６２０）とから構成される。
【００２２】
（実施形態２：コンテンツ出力装置の構成）本実施形態に係るコンテンツ出力装置の構成は、実施形態１に係るコンテンツ出力装置の構成に「信号受信部」（０６０４）と「停止命令出力部」（０６０５）を加えた構成となっている。コンテンツ出力装置（０６００）は、「コンテンツ情報取得部」（０６０１）と、「再生部」（０６０２）と、「ブロードキャスト部」（０６０３）と、「信号受信部」（０６０４）と、「停止命令出力部」（０６０５）と、を有する。
【００２３】
「信号受信部」（０６０４）は、受信用電子機器（０６２０）から出力される信号や赤外線リモコンなどの他の遠隔制御機器からの制御信号などを受信する機能を有する。ここでの「信号」とは、具体的には、例えば、受信用電子機器（０６２０）に備えられている文字キー、十字キー、選択ボタン、等が押下された場合に出力される信号の他、様々な信号が想定され、特定の信号に限定されない。また、後述の停止命令出力部（０６０５）は「信号受信部での所定の信号の受信に応じて前記ブロードキャストを停止させるための命令である停止命令を出力する」ので、信号受信部にて受信される信号に、ブロードキャストを停止させる旨を示す信号が受信されうるということである。信号を通信する方法は、有線によってもよいし無線によってもよい。無線であれば、例えばＢｌｕｅｔｏｏｔｈ（登録商標）、赤外線などの不可視光線でもよいし、可視光線によってもよい。信号受信部の具体的な処理としては、例えば、通信インタフェース等を介して信号が受信され、受信された信号に基づいて押下等された受信用電子機器（０６２０）のキーや命令等を判断し、判断結果をＲＡＭ等の所定の記憶領域に格納する。受信された信号に基づいてキーや命令を判断する方法としては、例えば、コンテンツ出力装置内に受信する信号と受信用電子機器（０６０２）のキー等とを関連付けた情報を保持しておき、信号を受信すると保持している情報を参照して押下等されたキー等を判断するような方法が考えられる。また、押下等されたキー等を示す情報は、例えば、図７に示す「ｓｉｇｎａｌ＝’ｓｔｏｐ＿ｂｕｔｔｏｎ’」というようなデータにより表現される。ここで、「ｓｉｇｎａｌ」とは押下等されたキー等を示すプログラム上の変数である。すなわち、この時点で信号が受信され解読されたことになる。また、受信した信号を解読せず、そのままＲＡＭ等の所定の記憶領域に格納し、後述の停止命令出力部（０６０５）にて利用するようになっていてもよい。また、信号受信部はこのような処理をＣＰＵに実行させるためのプログラムを含んでいてもよい。
【００２４】
「停止命令出力部」（０６０５）は、信号受信部（０６０４）での所定の信号の受信に応じて前記ブロードキャストを停止させるための命令である停止命令を出力する機能を有する。「前記ブロードキャスト」とは、前記ブロードキャスト部（０６０３）にて実行されるブロードキャストを指している。「所定の信号」とは、具体的には、例えば、前記ブロードキャストを停止させるための受信用電子機器（０６２０）等のキー等が押下された場合に出力される信号である。ただし、信号受信部（０６０４）にて受信するすべての信号であってもよい。すなわち、受信用電子機器（０６２０）等から出力された何らかの信号を受信したことをもって、前記ブロードキャストが停止されるようになっていてもよい。「停止命令」とは、例えば、ブロードキャスト部（０６０３）を実現するプログラムの実行を停止する命令であったり、ブロードキャスト部（０６０３）を実現するためのハードウェアへの電源供給を停止する命令であったりすることが想定される。図７は、信号受信部と停止命令出力部における処理の一例を示す。前述のように、信号受信部（０７０１）において「ｓｉｇｎａｌ＝’ｓｔｏｐ＿ｂｕｔｔｏｎ ’」という情報が取得されたとする。また、この情報が前記ブロードキャストを停止するための受信用電子機器からの命令を示すキーを表すとすると、停止命令出力部（０７０２）では、ＲＡＭ等の所定の記憶領域に格納されている変数「ｅｘｅｃｕｔｉｏｎ」の値を"０"に変更する。ここで、「ｅｘｅｃｕｔｉｏｎ」はプログラム上の変数であり、値が"０"になったことをトリガーとして、前記ブロードキャスト部を実現するプログラムの実行を停止する処理が実行される。また、値が"１"になったことをトリガーとして前記ブロードキャスト部を実現するプログラムの実行が再開されることを表す変数である。また、停止命令出力部はこのような処理をＣＰＵに実行させるためのプログラムを含んでいてもよい。なお、ブロードキャストの停止は本例のように受信用電子機器により行なわれなくとも、赤外線リモコン等の他の遠隔制御機器からの遠隔操作命令が受信されることにより行われるようになっていても良い。また、ブロードキャストの再開はその通信が終了した後自動的に開始するようになっていると便利である。
【００２５】
（実施形態２：受信用電子機器の構成）本実施形態に係る受信用電子機器の構成は、実施形態１に係る受信用電子機器の構成に「信号出力部」（０６２２）を加えた構成となっている。受信用電子機器（０６２０）は、「伝送情報受信部」（０６２１）と、「信号出力部」（０６２２）と、を有する。
【００２６】
「信号出力部」（０６２２）は、コンテンツ出力装置（０６００）に対して信号を出力するための機能を有する。信号の出力先は、主に、コンテンツ出力装置（０６００）の前記信号受信部（０６０４）である。「信号」とは、具体的には、主に受信用電子機器（０６２０）に備えられている文字キー、十字キー、選択ボタン、等が押下された場合に出力される信号等が想定されるが、これら以外の信号であってもよい。また、キーボード、マウス、タッチパネル、ペンタブレット、ジョイスティック等によって選択可能なグラフィック表示されるボタンやアイコン等が選択された場合に出力される信号等であってもよい。なお、出力される信号は、コンテンツ出力装置におけるブロードキャストを停止させる旨を示す所定の信号である。また、信号を通信する方法は、有線によってもよいし無線によってもよい。無線であれば、例えばＢｌｕｅｔｏｏｔｈ（登録商標）、赤外線などの不可視光線でもよいし、可視光線によってもよい。信号出力部の具体的な処理としては、例えば、受信用電子機器（０６２０）に備えられているキーやボタン等が押下されたことをトリガーとして、押下されたキーやボタン等に対応する信号が通信インタフェースを介して出力される。また、信号出力部はこのような処理をＣＰＵに実行させるためのプログラムを含んでいてもよい。
【００２７】
（実施形態２：処理の流れ）図８は、本実施形態に係る情報記録システムにおける処理の流れを示すシーケンス図を例示する。
【００２８】
最初に、コンテンツ出力装置にて、コンテンツ情報を取得する。この処理は、主にコンテンツ情報取得部によって実行される（ステップＳ０８０１）。次に、ステップＳ０８０１にて取得したコンテンツ情報に基づいてコンテンツを再生する。この処理は、主に再生部によって実行される（ステップＳ０８０２）。次に、ステップＳ０８０１にて取得中のコンテンツ情報の全部又は一部を含む伝送情報を近距離無線方式でブロードキャストする。この処理は、主にブロードキャスト部によって実行される（ステップＳ０８０３）。次に、受信用電子機器にて、ステップＳ０８０３にてブロードキャストされる伝送情報を受信する。この処理は、主に伝送情報受信部によって実行される（ステップＳ０８０４）。次に、コンテンツ出力装置に対して信号を出力する。出力する信号は、コンテンツ出力装置にてブロードキャストを停止させる所定の信号に該当する。この処理は、主に信号出力部によって実行される（ステップＳ０８０５）。次に、コンテンツ出力装置にて、ステップＳ０８０５にて出力される信号を受信する。この処理は、主に信号受信部によって実行される（ステップＳ０８０６）。最後に、ステップＳ０８０６における所定の信号の受信に応じてステップＳ０８０３にて実行されたブロードキャストを停止させるための命令である停止命令を出力する。この処理は、主に停止命令出力部によって実行される（ステップＳ０８０７）。
【００２９】
（実施形態２：効果）本実施形態に係る情報記録システムは、受信用電子機器から信号を出力することによってコンテンツ出力装置にて実行されている伝送情報のブロードキャストを停止することができる。よって、例えばコンテンツ出力装置におけるブロードキャストが他の電子機器との通信に影響を及ぼすと思われる場合等に、一時的にブロードキャストを停止することが可能である。
（実施形態３）
【００３０】
（実施形態３：概要）実施形態３は、受信用電子機器が受信した伝送情報を外部の電子機器等にて再生するために外部に出力することが可能な情報記録システムについて説明する。
【００３１】
（実施形態３：構成）本実施形態に係る情報記録システムの機能ブロック図を図９に例示する。情報記録システムは、コンテンツ出力装置（０９００）と、受信用電子機器（０９２０）とから構成される。
【００３２】
（実施形態３：コンテンツ出力装置の構成）本実施形態に係るコンテンツ出力装置の構成は、実施形態１又は２に係るコンテンツ出力装置の構成と同様であるので、ここでの説明は省略する。
【００３３】
（実施形態３：受信用電子機器の構成）本実施形態に係る受信用電子機器の構成は、実施形態１又は２に係る受信用電子機器の構成に「受信伝送情報出力部」（０９２３）を加えた構成となっている。図９においては、実施形態２に係る受信用電子機器の構成に前記受信伝送情報出力部（０９２３）を加えた構成を例示している。受信用電子機器（０９２０）は、「伝送情報受信部」（０９２１）と、「信号出力部」（０９２２）と、「受信伝送情報出力部」（０９２３）と、を有する。
【００３４】
「受信伝送情報出力部」（０９２３）は、受信した伝送情報を外部にて再生するために出力するための機能を有する。「受信した伝送情報」とは、伝送情報受信部（０９２１）にて受信した伝送情報を指す。「外部にて再生する」とは、外部の電子機器等にて再生することを意味する。コンテンツ出力装置（０９００）にて再生する場合や、別の受信用電子機器にて再生する場合等も含まれる。「再生」とは、伝送情報に含まれる画像データに基づいてディスプレイ等の表示装置に映像を表示したり、伝送情報に含まれる音声データに基づいてスピーカー等の出力装置に音声を出力すること等が該当する。また、外部の電子機器等がプリンターであれば、印刷等することも含まれる。また、伝送情報の出力は、例えば、ユーザにより伝送情報を出力するためのボタン等が押下されたことをトリガーとして出力される場合等が考えられるが、伝送情報の出力先が一の電子機器に決まっているような場合には伝送情報受信部（０９２１）にて伝送情報を受信したことをトリガーとして自動的に出力される等となっていてもよい。すなわち、伝送情報受信部（０９２１）にて伝送情報を受信した後、伝送情報を出力するまでに遅延があってもよい。また、伝送情報を通信する方法は、有線によってもよいし無線によってもよい。無線であれば、例えばＢｌｕｅｔｏｏｔｈ（登録商標）、赤外線などの不可視光線でもよいし、可視光線によってもよい。受信伝送情報出力部の具体的な処理としては、例えば、受信用電子機器（０９２０）に備えられている伝送情報を出力するためのボタン等が押下されたことをトリガーとして、伝送情報受信部（０９２１）によってＲＡＭやＨＤＤ等の所定の記憶領域に格納されている伝送情報を読み出し、通信インタフェースを介して出力する。また、受信伝送情報出力部はこのような処理をＣＰＵに実行させるためのプログラムを含んでいてもよい。
【００３５】
（実施形態３：処理の流れ）図１０は、本実施形態に係る情報記録システムにおける処理の流れを示すシーケンス図を例示する。
【００３６】
最初に、コンテンツ出力装置にて、コンテンツ情報を取得する。この処理は、主にコンテンツ情報取得部によって実行される（ステップＳ１００１）。次に、ステップＳ１００１にて取得したコンテンツ情報に基づいてコンテンツを再生する。この処理は、主に再生部によって実行される（ステップＳ１００２）。次に、ステップＳ１００１にて取得中のコンテンツ情報の全部又は一部を含む伝送情報を近距離無線方式でブロードキャストする。この処理は、主にブロードキャスト部によって実行される（ステップＳ１００３）。次に、受信用電子機器にて、ステップＳ１００３にてブロードキャストされる伝送情報を受信する。この処理は、主に伝送情報受信部によって実行される（ステップＳ１００４）。最後に、ステップＳ１００４にて受信した伝送情報を外部にて再生するために出力する。この処理は、主に受信伝送情報出力部によって実行される（ステップＳ１００５）。
【００３７】
（実施形態３：効果）本実施形態に係る情報記録システムは、受信用電子機器にて受信した伝送情報を外部に出力することができるので、例えば、受信用電子機器が携帯端末であってディスプレイ等が小さい場合等には外部の電子機器のより大きなディスプレイ等にて出力したり、外部のプリンター等にて印刷したりすること等も可能である。
（実施形態４）
【００３８】
（実施形態４：概要）実施形態４は、受信用電子機器が受信した伝送情報を自身にて再生することが可能な情報記録システムについて説明する。
【００３９】
（実施形態４：構成）本実施形態に係る情報記録システムの機能ブロック図を図１１に例示する。情報記録システムは、コンテンツ出力装置（１１００）と、受信用電子機器（１１２０）とから構成される。
【００４０】
（実施形態４：コンテンツ出力装置の構成）本実施形態に係るコンテンツ出力装置の構成は、実施形態１から３のいずれか一に係るコンテンツ出力装置の構成と同様であるので、ここでの説明は省略する。
【００４１】
（実施形態４：受信用電子機器の構成）本実施形態に係る受信用電子機器の構成は、実施形態１から３のいずれか一に係る受信用電子機器の構成に「再生出力部」（１１２４）を加えた構成となっている。図１１においては、実施形態３に係る受信用電子機器の構成に前記再生出力部（１１２４）を加えた構成を例示している。受信用電子機器（１１２０）は、「伝送情報受信部」（１１２１）と、「信号出力部」（１１２２）と、「受信伝送情報出力部」（１１２３）と、「再生出力部」（１１２４）と、を有する。
【００４２】
「再生出力部」（１１２４）は、受信した伝送情報を再生するための機能を有する。「受信した伝送情報」とは、伝送情報受信部（１１２１）にて受信した伝送情報である。「再生」とは、伝送情報に含まれる画像データに基づいてディスプレイ等の表示装置に映像を表示したり、伝送情報に含まれる音声データに基づいてスピーカー等の出力装置に音声を出力すること等が該当する。また、受信用電子機器（１１２０）がプリンターであれば、印刷等することも含まれる。また、受信した伝送情報がＭＰＥＧ（Ｍｏｖｉｎｇ  Ｐｉｃｔｕｒｅ  Ｅｘｐｅｒｔｓ  Ｇｒｏｕｐ）等にて圧縮されている場合には、デコードの処理を行なう。再生出力部の具体的な処理としては、例えば、伝送情報受信部にてＲＡＭやＨＤＤ等の所定の記憶領域に格納されている伝送情報を読み出し、画像処理部に送る。画像処理部で所定の処理が行われた後メモリに展開し、必要に応じてアナログ変換する等してディスプレイ出力信号に変換してディスプレイ等に出力する。また、再生出力部はこのような処理をＣＰＵに実行させるためのプログラムを含んでいてもよい。
【００４３】
（実施形態４：処理の流れ）図１２は、本実施形態に係る情報記録システムにおける処理の流れを示すシーケンス図を例示する。
【００４４】
最初に、コンテンツ出力装置にて、コンテンツ情報を取得する。この処理は、主にコンテンツ情報取得部によって実行される（ステップＳ１２０１）。次に、ステップＳ１２０１にて取得したコンテンツ情報に基づいてコンテンツを再生する。この処理は、主に再生部によって実行される（ステップＳ１２０２）。次に、ステップＳ１２０１にて取得中のコンテンツ情報の全部又は一部を含む伝送情報を近距離無線方式でブロードキャストする。この処理は、主にブロードキャスト部によって実行される（ステップＳ１２０３）。次に、受信用電子機器にて、ステップＳ１２０３にてブロードキャストされる伝送情報を受信する。この処理は、主に伝送情報受信部によって実行される（ステップＳ１２０４）。最後に、ステップＳ１２０４にて受信した伝送情報を再生する。この処理は、主に再生出力部によって実行される（ステップＳ１２０５）。
【００４５】
（実施形態４：効果）本実施形態に係る情報記録システムは、受信用電子機器にて受信した伝送情報を自身のディスプレイやスピーカー等にて再生出力することが可能である。
（実施形態５）
【００４６】
（実施形態５：概要）実施形態５は、受信用電子機器から出力される伝送情報をコンテンツ出力装置にて受信して再生出力することが可能な情報記録システムについて説明する。図１３は、本実施形態における情報記録システムの実現例を示す。例えば、コンテンツ出力装置（１３０１）のディスプレイ等にて番組出演者の映像とともに懸賞の応募方法が表示されていたとする。ここで、伝送情報として、懸賞の応募方法のみがコンテンツ出力装置（１３０１）からブロードキャストされていたとする。受信用電子機器（１３０２）のユーザは、この伝送情報を受信して保存しておき、例えば番組終了後にコンテンツ出力装置（１３０１）に対して出力する。すると、コンテンツ出力装置（１３０１）では出力された伝送情報を受信して再生出力することにより、ユーザはコンテンツ出力装置（１３０１）のディスプレイ等にて懸賞の応募方法を確認することができる。勿論、受信用電子機器（１３０２）にて伝送情報を受信した後、即刻、コンテンツ出力装置に対して伝送情報を出力し再生させることも可能である。
【００４７】
（実施形態５：構成）本実施形態に係る情報記録システムの機能ブロック図を図１４に例示する。情報記録システムは、コンテンツ出力装置（１４００）と、受信用電子機器（１４２０）とから構成される。
【００４８】
（実施形態５：コンテンツ出力装置の構成）本実施形態に係るコンテンツ出力装置の構成は、実施形態３の図９にて例示したコンテンツ出力装置の構成に「伝送情報受信手段」（１４０６）と、「再帰伝送情報再生出力部」（１４０７）と、を加えた構成となっている。コンテンツ出力装置（１４００）は、「コンテンツ情報取得部」（１４０１）と、「再生部」（１４０２）と、「ブロードキャスト部」（１４０３）と、「信号受信部」（１４０４）と、「停止命令出力部」（１４０５）と、「再帰伝送情報再生出力部」（１４０７）と、を有する。また、前記信号受信部（１４０４）は、「伝送情報受信手段」（１４０６）を有する。
【００４９】
「伝送情報受信手段」（１４０６）は、受信用電子機器（１４２０）の受信伝送情報出力部（１４２３）から出力される伝送情報を受信する機能を有する。また、伝送情報を通信する方法は、有線によってもよいし無線によってもよい。無線であれば、例えばＢｌｕｅｔｏｏｔｈ（登録商標）、赤外線などの不可視光線でもよいし、可視光線によってもよい。伝送情報受信手段の具体的な処理としては、例えば、受信用電子機器（１４２０）の受信伝送情報出力部（１４２３）から出力された伝送情報を通信インタフェースを介して受信し、ＲＡＭやＨＤＤ等の所定の記憶領域に格納する。また、伝送情報受信手段はこのような処理をＣＰＵに実行させるためのプログラムを含んでいてもよい。
【００５０】
「再帰伝送情報再生出力部」（１４０７）は、受信した伝送情報である再帰伝送情報を再生出力するための機能を有する。「受信した伝送情報」とは、伝送情報受信手段（１４０６）にて受信した伝送情報である。「再生出力」とは、主に、伝送情報に含まれる画像データに基づいてディスプレイ等の表示装置に映像を表示したり、伝送情報に含まれる音声データに基づいてスピーカー等の出力装置に音声を出力すること等が該当する。また、コンテンツ出力装置（１４００）が印刷機能を有していれば、印刷等することも含まれる。再帰伝送情報再生出力部の具体的な処理としては、例えば、伝送情報受信手段にてＲＡＭやＨＤＤ等の所定の記憶領域に格納されている再帰伝送情報を読み出し、画像処理部に送る。画像処理部で所定の処理が行われた後メモリに展開し、必要に応じてアナログ変換する等してディスプレイ出力信号に変換してディスプレイ等に出力する。また、再帰伝送情報再生出力部はこのような処理をＣＰＵに実行させるためのプログラムを含んでいてもよい。
【００５１】
（実施形態５：受信用電子機器の構成）本実施形態に係る受信用電子機器の構成は、実施形態３の図９にて例示した受信用電子機器の構成と同様であるので、ここでの説明は省略する。
【００５２】
（実施形態５：処理の流れ）図１５は、本実施形態に係る情報記録システムにおける処理の流れを示すシーケンス図を例示する。
【００５３】
最初に、コンテンツ出力装置にて、コンテンツ情報を取得する。この処理は、主にコンテンツ情報取得部によって実行される（ステップＳ１５０１）。次に、ステップＳ１５０１にて取得したコンテンツ情報に基づいてコンテンツを再生する。この処理は、主に再生部によって実行される（ステップＳ１５０２）。次に、ステップＳ１５０１にて取得中のコンテンツ情報の全部又は一部を含む伝送情報を近距離無線方式でブロードキャストする。この処理は、主にブロードキャスト部によって実行される（ステップＳ１５０３）。次に、受信用電子機器にて、ステップＳ１５０３にてブロードキャストされる伝送情報を受信する。この処理は、主に伝送情報受信部によって実行される（ステップＳ１５０４）。次に、ステップＳ１５０４にて受信した伝送情報を再生するために出力する。この処理は、主に再生出力部によって実行される（ステップＳ１５０５）。次に、コンテンツ出力装置にて、ステップＳ１５０５にて出力される伝送情報を受信する。この処理は、主に伝送情報受信手段によって実行される（ステップＳ１５０６）。最後に、ステップＳ１５０６にて受信した伝送情報である再帰伝送情報を再生出力する。この処理は、主に再帰伝送情報再生出力部によって実行される（ステップＳ１５０７）。
【００５４】
（実施形態５：効果）本実施形態に係る情報記録システムは、受信用電子機器から出力される伝送情報をコンテンツ出力装置にて受信して再生出力することができる。よって、例えば受信用電子機器にて受信した伝送情報を再生すると情報量が多くて確認しづらい場合等に、コンテンツ出力装置のディスプレイ等にて表示させる等が可能である。
（実施形態６）
【００５５】
（実施形態６：概要）実施形態６は、コンテンツ出力装置から伝送情報をブロードキャストする際に、所定時間遅延させてブロードキャストすることが可能な情報記録システムについて説明する。
【００５６】
（実施形態６：構成）本実施形態に係る情報記録システムの機能ブロック図を図１６に例示する。情報記録システムは、コンテンツ出力装置（１６００）と、受信用電子機器（１６２０）とから構成される。
【００５７】
（実施形態６：コンテンツ出力装置の構成）本実施形態に係るコンテンツ出力装置の構成は、実施形態１から５のいずれか一に係るコンテンツ出力装置の構成に「遅延手段」（１６０８）を加えた構成となっている。図１６においては、実施形態５に係るコンテンツ出力装置の構成に前記遅延手段（１６０８）を加えた構成を例示している。コンテンツ出力装置（１６００）は、「コンテンツ情報取得部」（１６０１）と、「再生部」（１６０２）と、「ブロードキャスト部」（１６０３）と、「信号受信部」（１６０４）と、「停止命令出力部」（１６０５）と、「再帰伝送情報再生出力部」（１６０７）と、を有する。また、前記信号受信部（１６０４）は、「伝送情報受信手段」（１６０６）を有する。また、前記ブロードキャスト部（１６０３）は、「遅延手段」（１６０８）を有する。
【００５８】
「遅延手段」（１６０８）は、コンテンツ情報取得部（１６０１）でのコンテンツ情報の取得タイミングよりも伝送情報のブロードキャストタイミングを所定時間遅延させるための機能を有する。「コンテンツ情報取得部でのコンテンツ情報の取得タイミングよりも伝送情報のブロードキャストタイミングを所定時間遅延させる」とは、前述したように、コンテンツ情報取得部（１６０１）での処理と平行してブロードキャスト部にても処理が行なわれるが、コンテンツ情報取得部（１６０１）にて取得したコンテンツを利用して、即刻、伝送情報を生成してブロードキャストするのではなく、所定時間遅延させてブロードキャストすることを意味する。また、「所定時間」は、変更可能であってもよい。所定時間は、例えば、人間が画像を認識してからボタンを押下するまでの平均的な反応時間等に設定されている場合が想定される。図１７は、遅延手段における処理の一例を示す。遅延手段は、例えば遅延用のバッファを有しており、この遅延用バッファが約１．０秒遅延させるためのバッファであるとする。遅延用バッファにはコンテンツ情報に基づいて生成された最新の伝送情報が常に格納されていき、同時に古い伝送情報から順にブロードキャストされていくようになっている。伝送情報は、一旦このような遅延バッファを介してブロードキャストされることにより、約１．０秒遅延されてブロードキャストされることになる。また、遅延用バッファにより遅延させるタイミングとしては、図１７においては伝送情報が生成された後に遅延用バッファを介してブロードキャストされるようになっているが、例えば取得中のコンテンツ情報が遅延用バッファを介してから伝送情報が生成されてブロードキャストされる場合等も考えられる。なお、遅延方法は図１７のような方法以外にも様々な方法があり得る。
【００５９】
（実施形態６：受信用電子機器の構成）本実施形態に係る受信用電子機器の構成は、実施形態１から５のいずれか一に係る受信用電子機器の構成と同様であるので、ここでの説明は省略する。
【００６０】
（実施形態６：処理の流れ）本実施形態に係る情報記録システムにおける処理の流れは、実施形態１から５のいずれか一に係る情報記録システムにおける処理の流れと同様である。ただし、取得中のコンテンツ情報の全部又は一部を含む伝送情報を近距離無線方式でブロードキャストする際に、コンテンツ情報の取得タイミングよりも伝送情報のブロードキャストタイミングを所定時間遅延させることを特徴とする。
【００６１】
（実施形態６：効果）本実施形態に係る情報記録システムは、コンテンツ出力装置から伝送情報をブロードキャストする際に、所定時間遅延させてブロードキャストすることができる。よって、例えばユーザが受信用電子機器にて伝送情報を受信するために受信用電子機器の受信ボタン等を押下するのが遅れた場合等であっても、コンテンツ出力装置からの伝送情報のブロードキャストも所定時間遅延されているので、受信したい伝送情報を確実に受信できる可能性が高くなる等の効果がある。
（実施形態７）
【００６２】
（実施形態７：概要）実施形態７は、受信用電子機器にて受信した伝送情報を所定時間バッファする機能を有し、ユーザにより伝送情報を記録するための記録ボタン等が押下された場合等にバッファした伝送情報を記録することが可能な情報記録システムについて説明する。
【００６３】
（実施形態７：構成）本実施形態に係る情報記録システムの機能ブロック図を図１８に例示する。情報記録システムは、コンテンツ出力装置（１８００）と、受信用電子機器（１８２０）とから構成される。
【００６４】
（実施形態７：コンテンツ出力装置の構成）本実施形態に係るコンテンツ出力装置の構成は、実施形態１から６のいずれか一に係るコンテンツ出力装置の構成と同様であるので、ここでの説明は省略する。
【００６５】
（実施形態７：受信用電子機器の構成）本実施形態に係る受信用電子機器の構成は、実施形態１から６のいずれか一に係る受信用電子機器の構成に「記録命令入力部」（１８２５）と、「バッファ部」（１８２６）と、「記録部」（１８２７）と、を加えた構成となっている。図１８においては、実施形態６に係る受信用電子機器の構成に前記記録命令入力部（１８２５）と前記バッファ部（１８２６）と前記記録部（１８２７）を加えた構成を例示している。受信用電子機器（１８２０）は、「伝送情報受信部」（１８２１）と、「信号出力部」（１８２２）と、「受信伝送情報出力部」（１８２３）と、「記録命令入力部」（１８２５）と、「バッファ部」（１８２６）と、「記録部」（１８２７）と、を有する。
【００６６】
「記録命令入力部」（１８２５）は、記録命令の入力を受け付けるための機能を有する。「記録命令」とは、記録部（１８２７）にて伝送情報を記録する旨を示す命令である。記録命令は、例えば、図１９に示す「ｒｅｃｏｒｄ＝’１’」というようなデータにより表現される。ここで、「ｒｅｃｏｒｄ」とはプログラム上の変数であり、値が"１"になったことをトリガーとして記録部（１８２７）にて伝送情報の記録が開始される。また、値が"０"になったことをトリガーとして記録部（１８２７）における伝送情報の記録が停止されることを表す変数である。より具体的には、記録命令入力部は、例えばユーザ等によって記録ボタン等が押下されたことをトリガーとして、ＲＡＭ等の所定の記憶領域に格納されている「ｒｅｃｏｒｄ」の値を"１"にする。また、記録命令入力部はこのような処理をＣＰＵに実行させるためのプログラムを含んでいてもよい。
【００６７】
「バッファ部」（１８２６）は、伝送情報受信部（１８２１）にて受信する伝送情報を所定時間バッファする機能を有する。「所定時間バッファする」とは、所定時間分の最新の伝送情報を蓄積しておくことを意味する。すなわち、バッファ部は、例えば所定時間分の伝送情報を格納する容量を持つＲＡＭ等のメモリに伝送情報を記録することによって実現できる。メモリに伝送情報受信部（１８２１）にて受信した最近の伝送情報を常に格納していき、同時に古い伝送情報から順に消去していくことにより、メモリには常に所定時間分の最新の伝送情報が保持されている状態となる。また、バッファ部はこのような処理をＣＰＵに実行させるためのプログラムを含んでいてもよい。
【００６８】
「記録部」（１８２７）は、記録命令に基づいてバッファ部（１８２６）にバッファされた伝送情報又は、伝送情報及び記録命令入力後に受信した伝送情報を記録する機能を有する。図２０は、記録部における処理の一例を示す。バッファ（２００１）は、前記バッファ部に該当する。バッファ（２００１）には、前述のように常に伝送情報受信部にて受信した伝送情報が格納されていくことにより、所定時間分の最新の伝送情報が保持されている。ここで、時刻ａにて記録命令入力部にて記録命令の入力が受け付けられ、時刻ｂにて記録が停止されたとする。また、波線２００２は、記録命令入力後に伝送情報受信部にて受信した伝送情報である。この場合、（Ａ）は「バッファ部にバッファされた伝送情報」に該当し、（Ｂ）は「（バッファ部にバッファされた）伝送情報及び記録命令入力後に受信した伝送情報」に該当する。すなわち、（Ａ）の場合には記録命令が入力されたタイミングよりも所定時間過去の伝送情報を記録することが可能であり、（Ｂ）の場合には記録命令が入力されたタイミングよりも所定時間過去の伝送情報に加えて、現在、伝送情報受信部にて受信している伝送情報を記録することが可能となる。より具体的には、記録部は、例えば記録命令入力部（１８２５）にてＲＡＭ等の所定の記憶領域に格納されている「ｒｅｃｏｒｄ」の値が"１"となったことをトリガーとして、バッファ部（１８２６）にてＲＡＭ等の所定の記憶領域に格納されている所定時間分の伝送情報を読出し、さらに、伝送情報受信部（１８２１）にてＲＡＭやＨＤＤ等の所定の記憶領域に格納される伝送情報を読出し、両者をＲＡＭやＨＤＤ等の所定の記憶領域に格納する。また、記録部はこのような処理をＣＰＵに実行させるためのプログラムを含んでいてもよい。
【００６９】
（実施形態７：処理の流れ）図２１は、本実施形態に係る情報記録システムにおける処理の流れを示すシーケンス図を例示する。
【００７０】
最初に、コンテンツ出力装置にて、コンテンツ情報を取得する。この処理は、主にコンテンツ情報取得部によって実行される（ステップＳ２１０１）。次に、ステップＳ２１０１にて取得したコンテンツ情報に基づいてコンテンツを再生する。この処理は、主に再生部によって実行される（ステップＳ２１０２）。次に、ステップＳ２１０１にて取得中のコンテンツ情報の全部又は一部を含む伝送情報を近距離無線方式でブロードキャストする。この処理は、主にブロードキャスト部によって実行される（ステップＳ２１０３）。次に、受信用電子機器にて、ステップＳ２１０３にてブロードキャストされる伝送情報を受信する。この処理は、主に伝送情報受信部によって実行される（ステップＳ２１０４）。次に、ステップＳ２１０４にて受信した伝送情報を所定時間バッファする。この処理は、主にバッファ部によって実行される（ステップＳ２１０５）。次に、記録命令の入力を受け付ける。この処理は、主に記録命令入力部によって実行される（ステップＳ２１０６）。最後に、ステップＳ２１０６にて入力を受け付けた記録命令に基づいてステップＳ２１０５にてバッファされた伝送情報又は、伝送情報及び記録命令入力後に受信した伝送情報を記録する。この処理は、主に記録部によって実行される（ステップＳ２１０７）。
【００７１】
（実施形態７：効果）本実施形態に係る情報記録システムは、所定時間バッファしている伝送情報を記録することが可能であるため、例えばユーザが受信用電子機器にて受信した伝送情報を記録するために記録ボタン等を押下するのが遅れた場合等であっても、所定時間分は遡って伝送情報を記録することが可能である。
（実施形態８）
【００７２】
（実施形態８：概要）実施形態８は、ユーザ等による受信用電子機器のボタン操作を検知し、例えばボタン等の操作方法に応じて記録部における伝送情報の記録方法が変わることを特徴とする情報記録システムについて説明する。
【００７３】
（実施形態８：構成）本実施形態に係る情報記録システムの機能ブロック図を図２２に例示する。情報記録システムは、コンテンツ出力装置（２２００）と、受信用電子機器（２２２０）とから構成される。
【００７４】
（実施形態８：コンテンツ出力装置の構成）本実施形態に係るコンテンツ出力装置の構成は、実施形態７に係るコンテンツ出力装置の構成と同様であるので、ここでの説明は省略する。
【００７５】
（実施形態８：受信用電子機器の構成）本実施形態に係る受信用電子機器の構成は、実施形態７に係る受信用電子機器の構成に「ボタン操作検知手段」（２２２８）と、「命令保持手段」（２２２９）と、を加えた構成となっている。受信用電子機器（２２２０）は、「伝送情報受信部」（２２２１）と、「信号出力部」（２２２２）と、「受信伝送情報出力部」（２２２３）と、「記録命令入力部」（２２２５）と、「バッファ部」（２２２６）と、「記録部」（２２２７）と、を有する。また、前記記録命令入力部（２２２５）は、「ボタン操作検知手段」（２２２８）と、「命令保持手段」（２２２９）と、を有する。
【００７６】
「ボタン操作検知手段」（２２２８）は、記録命令を入力するためのボタン操作を検知するための機能を有する。「ボタン」とは、受信用電子機器（２２２０）に備えられている文字キー、十字キー、選択ボタン等のように、ユーザ等が指などによって押し下げることが可能な機械的なボタンであってもよいし、キーボード、マウス、タッチパネル、ペンタブレット、ジョイスティック等によって選択可能なグラフィック表示されるボタンやアイコン等であってもよい。よって、「ボタン操作」とは、ボタンが機械的なボタンであればユーザ等によってボタンが押下されること等を意味し、ボタンがグラフィック表示されるボタン等であればキーボード、マウス等により選択されたりクリックされたりすること等を意味する。また、「ボタン操作を検知する」とは、どのボタンが押下等されたかを検知することに加えて、ボタンがどのように操作されたかをも検知するようになっていてもよい。例えば、１回押下される、一定時間内に２回続けて押下される（ダブルクリック）、一定時間内に３回続けて押下される（トリプルクリック）、一定時間押された状態が継続する（いわゆる、長押し）、十字キーにて選択された方向（左右上下）、ジョイスティックの回転数、等をも検知するようになっていてもよい。なお、ボタン操作検知手段の検知結果は、具体的には、例えば図２３に示す「ｂｕｔｔｏｎ＝’ｒｅｃｏｒｄ＿ｂｕｔｔｏｎ’  ｔｉｍｅ＝２．５」というようなデータ（２３０３）にて表現される。ここで、「ｂｕｔｔｏｎ」とはプログラム上の変数であり、押下等されたボタンを表す。ここでは"ｒｅｃｏｒｄ＿ｂｕｔｔｏｎ"は、伝送情報を記録するためのボタン等を表す。また、「ｔｉｍｅ」とはプログラム上の変数であり、変数「ｂｕｔｔｏｎ」で表されるボタンが押下された時間を意味する。ここでは、"２．５"秒間長押しされたことを表す。ボタン操作検知手段の具体的な処理としては、例えば、ユーザ等によりボタンが押下等されたことをトリガーとして、図２３に例示するような検知結果（２３０３）をＲＡＭ等の所定の記憶領域に格納する。また、ボタン操作検知手段はこのような処理をＣＰＵに実行させるためのプログラムを含んでいてもよい。
【００７７】
「命令保持手段」（２２２９）は、ボタン操作検知手段（２２２８）によるボタン操作の検知に応じて記録部（２２２７）に伝達すべき命令を複数保持する機能を有する。すなわち、ボタン操作検知手段（２２２８）における検知結果に応じて、記録部（２２２７）にて実行される命令が変わるということである。図２３は、ボタン操作検知手段と命令保持手段における処理の一例を示す。例えば、ボタン操作検知手段（２３０１）にて、前述のように「ｂｕｔｔｏｎ＝’ｒｅｃｏｒｄ＿ｂｕｔｔｏｎ’  ｔｉｍｅ＝２．５」という検知結果（２３０３）であったとする。また、命令保持手段（２３０２）においては、ボタン操作検知手段（２３０１）におけるボタン操作の検知結果と記録部に伝達すべき命令を関連付けて保持している（２３０４）。例えば、検知結果（２３０３）により、記録ボタンが"２．５"秒間継続して押下されていることが分かるため、押下時間Ｘは「１．５≦Ｘ」を満たし、命令として「動画を記録」という命令が抽出される。実際に記録部に対して出力される命令は、「ｒｅｃｏｒｄ＝’１’  ｋｉｎｄ＿ｏｆ＿ｒｅｃｏｒｄ＝’ｍｏｔｉｏｎ’」というようなデータで表される。前述のように、「ｒｅｃｏｒｄ」とはプログラム上の変数であり、値が"１"になったことをトリガーとして記録部にて伝送情報の記録が開始される。また、「ｋｉｎｄ＿ｏｆ＿ｒｅｃｏｒｄ」もプログラム上の変数であり、ここでは"ｍｏｔｉｏｎ"という値によって動画を記録することを表している。以上のような処理によって、例えばユーザがどのボタンをどのように操作したかによって、記録部における伝送情報の記録方法を変えることができる。
【００７８】
（実施形態８：処理の流れ）図２４は、本実施形態に係る情報記録システムにおける処理の流れを示すシーケンス図を例示する。
【００７９】
最初に、コンテンツ出力装置にて、コンテンツ情報を取得する。この処理は、主にコンテンツ情報取得部によって実行される（ステップＳ２４０１）。次に、ステップＳ２４０１にて取得したコンテンツ情報に基づいてコンテンツを再生する。この処理は、主に再生部によって実行される（ステップＳ２４０２）。次に、ステップＳ２４０１にて取得中のコンテンツ情報の全部又は一部を含む伝送情報を近距離無線方式でブロードキャストする。この処理は、主にブロードキャスト部によって実行される（ステップＳ２４０３）。次に、受信用電子機器にて、ステップＳ２４０３にてブロードキャストされる伝送情報を受信する。この処理は、主に伝送情報受信部によって実行される（ステップＳ２４０４）。次に、ステップＳ２４０４にて受信した伝送情報を所定時間バッファする。この処理は、主にバッファ部によって実行される（ステップＳ２４０５）。次に、記録命令を入力するためのボタン操作を検知する。この処理は、主にボタン操作検知手段によって実行される（ステップＳ２４０６）。次に、ステップＳ２４０６におけるボタン操作の検知に応じて記録部に命令を伝達する。この処理は、主に命令保持手段によって実行される（ステップＳ２４０７）。最後に、ステップＳ２４０７にて伝達された命令に基づいてステップＳ２４０５にてバッファされた伝送情報又は、伝送情報及び記録命令入力後に受信した伝送情報を記録する。この処理は、主に記録部によって実行される（ステップＳ２４０８）。
【００８０】
（実施形態８：効果）本実施形態に係る情報記録システムは、ユーザ等によるボタン等の操作方法に応じて記録部における伝送情報の記録方法が変わるため、例えば同じボタンであっても押下の仕方によって静止画を記録したり動画を記録したりすることが可能である。また、ユーザは簡単な操作によって記録方法を変えることができ、素早く記録操作を行なうことができる。
（実施形態９）
【００８１】
（実施形態９：概要）実施形態９は、コンテンツ出力装置における伝送情報のブロードキャストと、受信用電子機器における伝送情報の受信が、赤外線通信によって行なわれることを特徴とする情報記録システムについて説明する。
【００８２】
（実施形態９：構成）本実施形態に係る情報記録システムの機能ブロック図を図２５に例示する。情報記録システムは、コンテンツ出力装置（２５００）と、受信用電子機器（２５２０）とから構成される。
【００８３】
（実施形態９：コンテンツ出力装置の構成）本実施形態に係るコンテンツ出力装置の構成は、実施形態１から８のいずれか一に係るコンテンツ出力装置の構成に「赤外線送信手段」（２５０９）を加えた構成となっている。図２５においては、実施形態８に係るコンテンツ出力装置の構成に前記赤外線送信手段（２５０９）を加えた構成を例示している。コンテンツ出力装置（２５００）は、「コンテンツ情報取得部」（２５０１）と、「再生部」（２５０２）と、「ブロードキャスト部」（２５０３）と、「信号受信部」（２５０４）と、「停止命令出力部」（２５０５）と、「再帰伝送情報再生出力部」（２５０７）と、を有する。また、前記信号受信部（２５０４）は、「伝送情報受信手段」（２５０６）を有する。また、前記ブロードキャスト部（２５０３）は、「遅延手段」（２５０８）と、「赤外線送信手段」（２５０９）と、を有する。
【００８４】
「赤外線送信手段」（２５０９）は、赤外線通信により伝送情報をブロードキャストする機能を有する。赤外線にて情報を出力する仕組みに関しては、一般的によく知られている技術であるので詳細は省くが、赤外線送信手段における具体的な処理としては、例えば、ＲＡＭ等の所定の記憶領域に格納されている伝送情報を読み出し、赤外線発光ダイオードから伝送情報を出力する。また、赤外線送信手段はこのような処理をＣＰＵに実行させるためのプログラムを含んでいてもよい。なお、赤外線通信は、ＩｒＤＡ、ＩｒＳｉｍｐｌｅによる通信であってもよい。ＩｒＳｉｍｐｌｅの通信速度は最大で４Ｍ（メガ）ｂｐｓでありＩｒＤＡ方式よりも通信時間が短いため、伝送情報のサイズが大きい場合等に特に有用である。
【００８５】
（実施形態９：受信用電子機器の構成）本実施形態に係る受信用電子機器の構成は、実施形態１から８のいずれか一に係る受信用電子機器の構成に「赤外線受信手段」（２５３０）を加えた構成となっている。図２５においては、実施形態８に係る受信用電子機器の構成に前記赤外線受信手段（２５３０）を加えた構成を例示している。受信用電子機器（２５２０）は、「伝送情報受信部」（２５２１）と、「信号出力部」（２５２２）と、「受信伝送情報出力部」（２５２３）と、「記録命令入力部」（２５２５）と、「バッファ部」（２５２６）と、「記録部」（２５２７）と、を有する。また、前記伝送情報受信部（２５２１）は、「赤外線受信手段」（２５３０）を有する。また、前記記録命令入力部（２５２５）は、「ボタン操作検知手段」（２５２８）と、「命令保持手段」（２５２９）と、を有する。
【００８６】
「赤外線受信手段」（２５３０）は、赤外線通信により伝送情報を受信する機能を有する。赤外線にて情報を受信する仕組みに関しては、一般的によく知られている技術であるので詳細は省くが、赤外線受信手段における具体的な処理としては、赤外線送信手段（２５０９）にて出力された赤外線を赤外線受光モジュールにより受光する。受光された信号から伝送情報を取得し、ＲＡＭ等の所定の記憶領域に格納する。また、赤外線受信手段はこのような処理をＣＰＵに実行させるためのプログラムを含んでいてもよい。なお、赤外線通信は、前述のように、ＩｒＳｉｍｐｌｅによる通信であってもよい。
【００８７】
（実施形態９：処理の流れ）本実施形態に係る情報記録システムにおける処理の流れは、実施形態１から８のいずれか一に係る情報記録システムにおける処理の流れと同様である。ただし、コンテンツ出力装置にて取得中のコンテンツ情報の全部又は一部を含む伝送情報をブロードキャストする際に赤外線によってブロードキャストし、赤外線によってブロードキャストされた伝送情報を受信用電子機器にて受信することを特徴とする。
【００８８】
（実施形態９：効果）本実施形態に係る情報記録システムは、コンテンツ出力装置における伝送情報のブロードキャストと受信用電子機器における伝送情報の受信が赤外線通信によって行なわれる。赤外線はその通信可能範囲はＢｌｕｅｔｏｏｔｈ（登録商標）等の近距離無線方式に比べて狭いため、伝送情報が受信可能な範囲を限定したい場合に有用である。例えば、混信などの他の機器への影響も少なく実現できる。
（実施形態１０）
【００８９】
（実施形態１０：概要）実施形態１０は、コンテンツ出力装置においてブロードキャストする伝送情報を、記録開始点を示す記録開始マークを有する情報単位であるマーク付伝送情報単位の連続として生成し、受信用電子機器の記録部はマーク付伝送情報単位を最小単位として伝送情報の記録を行なうことを特徴とする情報記録システムについて説明する。
【００９０】
（実施形態１０：構成）本実施形態に係る情報記録システムの機能ブロック図を図２６に例示する。情報記録システムは、コンテンツ出力装置（２６００）と、受信用電子機器（２６２０）とから構成される。
【００９１】
（実施形態１０：コンテンツ出力装置の構成）本実施形態に係るコンテンツ出力装置の構成は、実施形態７から９のいずれか一に係るコンテンツ出力装置の構成に「マーク付伝送情報生成手段」（２６１０）を加えた構成となっている。図２６においては、実施形態９に係るコンテンツ出力装置の構成に前記マーク付伝送情報生成手段（２６１０）を加えた構成を例示している。コンテンツ出力装置（２６００）は、「コンテンツ情報取得部」（２６０１）と、「再生部」（２６０２）と、「ブロードキャスト部」（２６０３）と、「信号受信部」（２６０４）と、「停止命令出力部」（２６０５）と、「再帰伝送情報再生出力部」（２６０７）と、を有する。また、前記信号受信部（２６０４）は、「伝送情報受信手段」（２６０６）を有する。また、前記ブロードキャスト部（２６０３）は、「遅延手段」（２６０８）と、「赤外線送信手段」（２６０９）と、「マーク付伝送情報生成手段」（２６１０）と、を有する。
【００９２】
「マーク付伝送情報生成手段」（２６１０）は、コンテンツ情報取得部（２６０１）にて取得中のコンテンツ情報の全部又は一部に基づいて生成される伝送情報を、信号処理単位である伝送情報単位であって、記録開始点として受信用電子機器（２６２０）に認識させるべき記録開始マークを有する情報単位であるマーク付伝送情報単位の連続として生成する機能を有する。「信号処理単位」とは、その単位にて信号処理を行なった結果、一の情報として成立する単位である。一の情報とは、例えば、一の静止画を実現する情報であってもよいし、一の文章を構成する情報であってもよい。さらに、１文字単位などのように、より細かい単位であってもよい。また、例えば、複数の静止画をまとめて一連の動画を一の情報とするような場合も想定される。信号処理単位は、予め決められていてもよいし、コンテンツ出力装置（２６００）にて伝送情報を出力する際に任意に設定できる等となっていてもよい。また、「記録開始マーク」は、信号処理単位の伝送情報の先頭に付されるマークである。伝送情報は信号処理単位の伝送情報の連続として送出されるので、記録開始マークによって信号処理単位の区切りが示されることになる。図２７にて、二つの１バイトＡＳＣＩＩ文字を伝送する場合を一例として説明する。例えば、「Ｊ」と「Ｓ」の文字コードはそれぞれ、"０ｘ４ａ"、"０ｘ５３"であるので、ビット列はそれぞれ、"０１００  １０１０"、"０１０１  ００１１"である。よって、これらが連続して伝送される場合には、"０１０１００１０１１００１０１０"というビット列（２７０１）にて伝送されることとなる。ただし、各バイトにおいては最下位のビットから送信されるとする（図２７においては図の右方向が伝送方向であり、ビット列は右から左に並んでいる）。ここで、受信用電子機器にて、例えば（ａ）の箇所のように元のデータ「Ｊ」を示すビット列の途中にて伝送情報の受信を開始した場合にはデータの区切りが分からなくなってしまう。そこで、各文字を示すビット列の先頭に記録開始マーク（２７０２）を付した後に連続して伝送すれば、受信用電子機器にて、例えば（ａ）にて伝送情報の受信を開始したとしても、（ｂ）にて記録開始マークを検出することでデータの区切りが分かる。すなわち、「マーク付伝送情報単位」とは、図２７においては情報単位２７０３が該当し、「（伝送情報を、）記録開始マークを有する情報単位であるマーク付伝送情報単位の連続として生成する」とは、図２７においては情報２７０４が該当する。また、マーク付伝送情報単位の大きさは、可変長であってもよいし固定長であってもよい。なお、図２７においては信号処理単位を１バイトＡＳＣＩＩ文字としたが、前述のように信号処理単位は一の静止画等のように、より大きな情報単位であってもよい。また、記録開始マークは、例えば常に同じビット列にて構成されるデータである場合が想定される。図２８は、記録開始マークの具体例を示す。図２８においては、記録開始マークは４バイトで構成され、ビット列が"００００  ００００  ００００  ００００  ００００  ００００  ００１１  ００１１"であり、すなわち、"０ｘ００００００３３"というデータであることを示している。受信用電子機器においては���このようなビット列を検知することにより記録開始マークであることを認識できる。また、伝送情報には映像データと音声データが含まれている場合も想定されるが、そのような場合には、例えば、図２９に示すように映像データと音声データを連続して送るようになっていてもよい。図２９（ａ）は映像データと音声データを交互に送るようになっており、図２９（ｂ）は映像データと音声データを２回ずつ交互に送るようになっている場合を例示している。なお、データ２９０１は記録開始マークである。マーク付伝送情報生成手段は、より具体的には、例えば、ＲＡＭ等の所定の記憶領域に格納されている伝送情報と記録開始マークを読み出し、信号処理単位ごとに記録開始マークを付してマーク付伝送情報単位の連続として生成し、ＲＡＭ等の所定の記憶領域に格納する。さらにＲＡＭ等の所定の記憶領域から生成した伝送情報を通信インタフェースを介して外部に出力する。また、マーク付伝送情報生成手段はこのような処理をＣＰＵに実行させるためのプログラムを含んでいてもよい。
【００９３】
（実施形態１０：受信用電子機器の構成）本実施形態に係る受信用電子機器の構成は、実施形態７から９のいずれか一に係る受信用電子機器の構成に「マーク付伝送情報単位記録手段」（２６３１）を加えた構成となっている。図２６においては、実施形態９に係る受信用電子機器の構成に前記マーク付伝送情報単位記録手段（２６３１）を加えた構成を例示している。受信用電子機器（２６２０）は、「伝送情報受信部」（２６２１）と、「信号出力部」（２６２２）と、「受信伝送情報出力部」（２６２３）と、「記録命令入力部」（２６２５）と、「バッファ部」（２６２６）と、「記録部」（２６２７）と、を有する。また、前記伝送情報受信部（２６２１）は、「赤外線受信手段」（２６３０）を有する。また、前記記録命令入力部（２６２５）は、「ボタン操作検知手段」（２６２８）と、「命令保持手段」（２６２９）と、を有する。また、前記記録部（２６２７）は、「マーク付伝送情報単位記録手段」（２６３１）を有する。
【００９４】
「マーク付伝送情報単位記録手段」（２６３１）は、伝送情報の記録を、前記マーク付伝送情報単位を最小単位として行なう機能を有する。「伝送情報の記録を、前記マーク付伝送情報単位を最小単位として行なう」とは、マーク付伝送情報に付されている記録開始マークも映像データ等と共に記録してもよいし、マーク付伝送情報から記録開始マークを除去してから映像データ等のみを記録するようになっていてもよい。図３０は、マーク付伝送情報単位記録手段における処理の一例を示す。伝送情報受信部では、記録開始マーク（３００１）が付されているマーク付伝送情報の連続として伝送情報（３００２）が受信される。ここで、例えば、ユーザ等によって記録ボタンが押下されたタイミングが（Ａ）であったとすると、（Ｂ）において記録開始マーク（３００１）を検出するため、マーク付伝送情報単位（３００３）ごとに記録を行なうことができる。これにより、例えば、映像データ等の連続として伝送情報がブロードキャスト部（２６０３）からブロードキャストされても、映像データ等を一の情報として成立する単位にて処理することができる。
【００９５】
（実施形態１０：処理の流れ）図３１は、本実施形態に係る情報記録システムにおける処理の流れを示すシーケンス図を例示する。
【００９６】
最初に、コンテンツ出力装置にて、コンテンツ情報を取得する。この処理は、主にコンテンツ情報取得部によって実行される（ステップＳ３１０１）。次に、ステップＳ３１０１にて取得したコンテンツ情報に基づいてコンテンツを再生する。この処理は、主に再生部によって実行される（ステップＳ３１０２）。次に、ステップＳ３１０１にて取得中のコンテンツ情報の全部又は一部を含む伝送情報を、信号処理単位である伝送情報単位であって、記録開始点として受信用電子機器に認識させるべき記録開始マークを有する情報単位であるマーク付伝送情報単位の連続として生成する。この処理は、主にマーク付伝送情報生成手段によって実行される（ステップＳ３１０３）。次に、ステップＳ３１０３にて生成されたマーク付伝送情報単位の連続である伝送情報を近距離無線方式でブロードキャストする。この処理は、主にブロードキャスト部によって実行される（ステップＳ３１０４）。次に、受信用電子機器にて、ステップＳ３１０４にてブロードキャストされるマーク付伝送情報単位の連続である伝送情報を受信する。この処理は、主に伝送情報受信部によって実行される（ステップＳ３１０５）。次に、ステップＳ３１０５にて受信したマーク付伝送情報単位の連続である伝送情報を所定時間バッファする。この処理は、主にバッファ部によって実行される（ステップＳ３１０６）。次に、記録命令を入力するためのボタン操作を検知する。この処理は、主にボタン操作検知手段によって実行される（ステップＳ３１０７）。次に、ステップＳ３１０７におけるボタン操作の検知に応じて記録部に命令を伝達する。この処理は、主に命令保持手段によって実行される（ステップＳ３１０８）。最後に、ステップＳ３１０８にて伝達された命令に基づいてステップＳ３１０６にてバッファされたマーク付伝送情報単位の連続である伝送情報又は、伝送情報及び記録命令入力後に受信した伝送情報を、必要に応じて元の映像データ等に再構成して記録する。この処理は、主にマーク付伝送情報単位記録手段によって実行される（ステップＳ３１０９）。
【００９７】
（実施形態１０：効果）本実施形態に係る情報記録システムは、伝送情報を記録開始マークが付されたマーク付伝送情報の連続としてコンテンツ出力装置からブロードキャストし、受信用電子機器においてはマーク付伝送情報単位を最小単位として伝送情報の記録を行なうので、伝送情報が複数の映像データや音声データ等の連続であっても、各データ単位にて記録を行なうことができる。
【図面の簡単な説明】
【００９８】
【図１】本発明に係る情報記録システムの構成の一例図
【図２】一般的なコンピュータの構成の一例図
【図３】実施形態１に係る情報記録システムの機能ブロック図
【図４】コンテンツの一例図
【図５】実施形態１に係る情報記録システムの処理の流れを示すシーケンス図
【図６】実施形態２に係る情報記録システムの機能ブロック図
【図７】信号受信部と停止命令出力部のおける処理の一例図
【図８】実施形態２に係る情報記録システムの処理の流れを示すシーケンス図
【図９】実施形態３に係る情報記録システムの機能ブロック図
【図１０】実施形態３に係る情報記録システムの処理の流れを示すシーケンス図
【図１１】実施形態４に係る情報記録システムの機能ブロック図
【図１２】実施形態４に係る情報記録システムの処理の流れを示すシーケンス図
【図１３】実施形態５における情報記録システムの実現例
【図１４】実施形態５に係る情報記録システムの機能ブロック図
【図１５】実施形態５に係る情報記録システムの処理の流れを示すシーケンス図
【図１６】実施形態６に係る情報記録システムの機能ブロック図
【図１７】遅延手段における処理の一例図
【図１８】実施形態７に係る情報記録システムの機能ブロック図
【図１９】記録命令入力部における処理の一例図
【図２０】記録部おける処理の一例図
【図２１】実施形態７に係る情報記録システムの処理の流れを示すシーケンス図
【図２２】実施形態８に係る情報記録システムの機能ブロック図
【図２３】ボタン操作検知手段と命令保持手段における処理の一例図
【図２４】実施形態８に係る情報記録システムの処理の流れを示すシーケンス図
【図２５】実施形態９に係る情報記録システムの機能ブロック図
【図２６】実施形態１０に係る情報記録システムの機能ブロック図
【図２７】二つの１バイト文字を伝送する場合の一例図
【図２８】記録開始マークの一例図
【図２９】伝送情報に映像データと音声データが含まれる場合の伝送情報の一例図
【図３０】マーク付伝送情報単位記録手段における処理の一例図
【図３１】実施形態１０に係る情報記録システムの処理の流れを示すシーケンス図
【符号の説明】
【００９９】
０１０１    コンテンツ出力装置
０１０２ａ  受信用電子機器
０１０２ｂ  受信用電子機器
０１０２ｃ  受信用電子機器
【図１】
2007174408.tif 000003
【図２】
2007174408.tif 000004
【図３】
2007174408.tif 000005
【図４】
2007174408.tif 000006
【図５】
2007174408.tif 000007
【図６】
2007174408.tif 000008
【図７】
2007174408.tif 000009
【図８】
2007174408.tif 000010
【図９】
2007174408.tif 000011
【図１０】
2007174408.tif 000012
【図１１】
2007174408.tif 000013
【図１２】
2007174408.tif 000014
【図１３】
2007174408.tif 000015
【図１４】
2007174408.tif 000016
【図１５】
2007174408.tif 000017
【図１６】
2007174408.tif 000018
【図１７】
2007174408.tif 000019
【図１８】
2007174408.tif 000020
【図１９】
2007174408.tif 000021
【図２０】
2007174408.tif 000022
【図２１】
2007174408.tif 000023
【図２２】
2007174408.tif 000024
【図２３】
2007174408.tif 000025
【図２４】
2007174408.tif 000026
【図２５】
2007174408.tif 000027
【図２６】
2007174408.tif 000028
【図２７】
2007174408.tif 000029
【図２８】
2007174408.tif 000030
【図２９】
2007174408.tif 000031
【図３０】
2007174408.tif 000032
【図３１】
2007174408.tif 000033